(57)【特許請求の範囲】
【請求項１】
子供を着座させる、背もたれ部（１６）及びシート部（１４）を有する、シート本体（１０）と；
前記シート部（１４）に近づく方向及び該シート部（１４）から離れる方向に移動できるように、前記背もたれ部（１６）に摺動可能に取り付けられ、着座する子供の頭部及び背部を支える、背上部支持部（３４）を備えた、頭部及び背上部支持体（３２）と；
を備えた自動車用のチャイルド安全シートにおいて、
前記頭部及び背上部支持体（３２）を前記シート部（１４）に向けて移動させると、前記頭部及び背上部支持体（３２）が前記シート部（１４）に対してより鈍角にチルトすることを特徴とする自動車用のチャイルド安全シート。
【請求項２】
前記背上部支持部（３４）はカム従動節として作用する底部エッジ（７４）を、前記シート本体（１０）は湾曲面（７６）を備えており、前記頭部及び背上部支持体（３２）を前記シート部（１４）に向けて移動させて、前記底部エッジ（７４）を前記湾曲面（７６）に当接させることにより、前記頭部及び背上部支持体（３２）が前記シート部（１４）に対してより鈍角にチルトする請求項１記載の自動車用のチャイルド安全シート。
【請求項３】
前記頭部及び背上部支持体（３２）にラッチレバー（４６）を設け、該ラッチレバー（４６）の第１の位置では、前記頭部及び背上部支持体（３２）を前記背もたれ部（１６）に対して移動不能とし、前記ラッチレバー（４６）の第２の位置では、前記頭部及び背上部支持体（３２）を前記背もたれ部（１６）に対して相対移動可能とする請求項１又は２記載の自動車用のチャイルド安全シート。
【請求項４】
前記ラッチレバー（４６）を前記頭部及び背上部支持体（３２）の後方側部に突出部（４２）に配置し、前記背もたれ部（１６）に中心スロット（４４）を設け、前記突出部（４２）を前記中心スロット（４４）に遊嵌させることで、前記頭部及び背上部支持体（３２）を前記背もたれ部（１６）に対して摺動可能とし、
さらに、前記ラッチレバー（４６）には、カム形状体（５０、５２）を形成し、前記中心スロット（４４）の長手方向両側には、前記カム形状体（５０、５２）に係合する、相補的な形状体（５４、５６）を配置し、前記ラッチレバー（４６）が前記第１の位置にあるとき、前記カム形状体（５０、５２）が前記相補的な形状体（５４、５６）に係合して、前記頭部及び背上部支持体（３２）を前記背もたれ部（１６）に対して移動不能とする請求項３記載の自動車用のチャイルド安全シート。
【発明の詳細な説明】
【０００１】
【発明の属する技術分野】
本願発明は、自動車用のチャイルド安全シート（すなわち、安全用のチャイルドシート）に関する。前記チャイルドシートは、シート本体と、背上部支持体と、制御手段とを備えている。前記シート本体は、背もたれ部及びシート部を有している。前記背上部支持体は、前記シート部に向いた方向に移動できるように、また、前記シート部から離れる方向に移動できるように、前記背もたれ部に取り付けられている。前記制御手段は、前記背上部支持体の前記背もたれ部に対する位置を変えるためのものである。
【０００２】
【従来の技術】
この種のシートは、ＵＳ−Ａ−５４９６０９２に開示されている。前記シート部と前記背もたれ部は、両方とも、フラットパネルを備えている。
【０００３】
【発明が解決しようとする課題】
しかしながら、大変幼い子供の背部に対して、適切に支持できるものはなかった。
【０００４】
【課題を解決するための手段】
本発明は、子供を着座させる、背もたれ部（１６）及びシート部（１４）を有する、シート本体（１０）と；前記シート部（１４）に近づく方向及び該シート部（１４）から離れる方向に移動できるように、前記背もたれ部（１６）に摺動可能に取り付けられ、着座する子供の頭部及び背部を支える、背上部支持部（３４）を備えた頭部及び背上部支持体（３２）と；を備えた自動車用のチャイルド安全シートにおいて、前記頭部及び背上部支持体（３２）を前記シート部（１４）に向けて移動させると、前記頭部及び背上部支持体（３２）が前記シート部（１４）に対してより鈍角にチルトすることを特徴とする。
【０００５】
前記背上部支持部（３４）はカム従動節として作用する底部エッジ（７４）を、前記シート本体（１０）は湾曲面（７６）を備えており、前記頭部及び背上部支持体（３２）を前記シート部（１４）に向けて移動させて、前記底部エッジ（７４）を前記湾曲面（７６）に当接させることにより、前記頭部及び背上部支持体（３２）が前記シート部（１４）に対してより鈍角にチルトすると好ましい。
【０００６】
前記頭部及び背上部支持体（３２）にラッチレバー（４６）を設け、該ラッチレバー（４６）の第１の位置では、前記頭部及び背上部支持体（３２）を前記背もたれ部（１６）に対して移動不能とし、前記ラッチレバー（４６）の第２の位置では、前記頭部及び背上部支持体（３２）を前記背もたれ部（１６）に対して相対移動可能とすると好ましい。
【０００７】
前記ラッチレバー（４６）を前記頭部及び背上部支持体（３２）の後方側部に突出部（４２）に配置し、前記背もたれ部（１６）に中心スロット（４４）を設け、前記突出部（４２）を前記中心スロット（４４）に遊嵌させることで、前記頭部及び背上部支持体（３２）を前記背もたれ部（１６）に対して摺動可能とし、さらに、前記ラッチレバー（４６）には、カム形状体（５０、５２）を形成し、前記中心スロット（４４）の長手方向両側には、前記カム形状体（５０、５２）に係合する、相補的な形状体（５４、５６）を配置し、前記ラッチレバー（４６）が前記第１の位置にあるとき、前記カム形状体（５０、５２）が前記相補的な形状体（５４、５６）に係合して、前記頭部及び背上部支持体（３２）を前記背もたれ部（１６）に対して移動不能とすると好ましい。
【０００８】
本願発明の一実施例を、添付図面を参照して説明する。
【０００９】
【発明の実施の形態】
図１及び図２は、チャイルド安全シートすなわち安全用のチャイルドシートを示している。前記安全用のチャイルドシートは、ハンドル（すなわち、取手）１２に連結されたシート本体１０を備えている。シート本体１０は、シート部１４と、背もたれ部１６と、側壁部（すなわち、サイドウオール）１８及び２０とを備えている。シート本体１０のうち子供乗員用のハーネス（すなわち、乗員保持用の帯、換言すれば安全ベルト）が、ショルダーストラップ（すなわち、肩部用の帯体）２６及び２８を備えている。ショルダーストラップ２６及び２８は、バックル２９によって、股部用のストラップ（図示せず）に連結される。ショルダーストラップ２６及び２８は、背もたれ部１６に設けられたスロットを通って伸長しており、背もたれ部１６の後ろで共通ストラップ３０（図３参照）に連結されている。共通ストラップ３０は、シート部１４のフロントエッジ（すなわち、前方縁部）の近くに設けられたストラップ調整装置（図示せず）を通って突出している。
【００１０】
頭部及び背上部支持体３２が、背上部支持部３４を備えている。背上部支持部３４の上には、頭部用中心支持部３６と、サイドウィング（すなわち、側方頭もたれ）３８及び４０とが設けられている。頭部及び背上部支持体３２は、背もたれ部１６に摺動可能に取り付けられており、それによって、頭部及び背上部支持体３２のサイドウィング３８及び４０は、シート本体１０の側壁部１８と側壁部２０との間に受けいれられている。図３から理解できるように、頭部及び背上部支持体３２のリヤサイド（すなわち、後方側部）に設けられた突出部４２が、背もたれ部１６に設けられた中心スロット４４を通って伸長している。ロックレバー４６が、枢動ピン４８によって、突出部４２に枢動可能に取り付けられている。ロックレバー４６は、カム形状体５０及び５２を有している。くぼんだ形状の凹部５４及び５６のそれぞれの列が、中心スロット４４の各サイド（すなわち、各側部）に沿って伸長している。ロックレバー４６が、図３に示されるように、背もたれ部１６に対して実質的に平行になるように位置決めされたとき、カム形状体５０及び５２は、それぞれの凹部５４及び５６に係合し、これによって、突出部４２の中心スロット４４に沿った移動が防止される。
【００１１】
図３から理解できるように、前記シートバック（すなわち、背もたれ）は、中心スロット４４に対して平行に伸長している２つの別のスロット５８及び６０を有している。スロット５８は、凹部としてのくぼみ形状部５４に隣接しており、スロット６０は、凹部としてのくぼみ形状部５６に隣接している。スロット５８は、ショルダーストラップ２６用の後述する中空ガイド部６２に整合している。一方、スロット６０は、ショルダーストラップ２８用の後述する中空ガイド部６４に整合している。中空ガイド部６２及び６４は、頭部及び背上部支持体３２に一体的に形成されている。ロックレバー４６の下端が、横方向に（換言すれば、外側に）突出するガイドロッド６６及び６８を担持（換言すれば、支持）している。ショルダーストラップ２６は、ガイドロッド６６に巻掛けられて共通ストラップ３０に到達しており、ショルダーストラップ２８はガイドロッド６８に巻掛けられて共通ストラップ３０に到達している。（ヘッドレスト用の布製のカバーの一部を形成可能な）可撓性のあるフラップ７０が、背上部支持部３４の底部エッジ（すなわち、底側の縁部）より下に垂れ下がっており、これによって、シート本体１０用の布製カバーの一部７２の上部エッジ（すなわち、上側の縁部）を覆うことができるようになっている。
【００１２】
図２は、頭部及び背上部支持体３２が最上位置にある状態を示している。このとき、カム形状体５０は、くぼみ形状の凹部の列５４の頂部にある凹部に係合した状態になっており、また、カム形状体５２は、くぼみ形状の凹部の列５６の頂部にある凹部に係合した状態になっている。頭部及び背上部支持体３２を下げたいとき、ロックレバー４６の底部エッジを、（図２で見て時計回りの方向に）背もたれ部１６から離れる方向に枢動させる。これによって、カム形状体５０とくぼみ形状の凹部５４との係合が解除され、カム形状体５２とくぼみ形状の凹部５６との係合が解除される。ショルダーストラップ２６がガイドロッド６６に巻掛けられており（すなわち、ショルダーストラップ２６がガイドロッド６６の周囲に伸びており）、また、ショルダーストラップ２８がガイドロッド６８に巻掛けられているので（すなわち、ショルダーストラップ２８がガイドロッド６８の周囲に伸びているので）、子供用のハーネス（すなわち、乗員保持用の帯）がシートを使用している子供に締結されている場合、ロックレバー４６の底部エッジを背もたれ部１６から離れる方向に枢動させることができず、頭部及び背上部支持体３２を下げることはできない。
【００１３】
次に、頭部及び背上部支持体３２を、所望の位置、例えば、中間位置（図示せず）又は図４に示すような最下位置まで摺動させる。背上部支持部３４の底部エッジ７４は、カム従動節として作動し、シート本体１０に設けられた湾曲面７６に係合する（その箇所で、背もたれ部１６はシート部１４に達している）。これによって、頭部及び背上部支持体３２を、シート部１４に対してより鈍角にチルトすることができ、これにより、大変幼い子供にとってより適切な寄りかかった位置（すなわち、リクライニング位置）が提供される。
【００１４】
この移動が完了したとき、ロックレバー４６を元の位置に枢動させて背もたれ部１６に当接させる。ショルダーストラップ２６及び２８は頭部及び背上部支持体３２の中空ガイド部６２及び６４を通って伸長していることから、ショルダーストラップ２６及び２８が背もたれ部１６を通って現れる高さは、頭部及び背上部支持体３２によって調整される。図４に示されているように、頭部及び背上部支持体３２が最下位置にあるとき、頭部及び背上部支持体３２は、図２で示されたような最上位置にある場合よりも、水平に対してより小さな角度で傾斜する。
【図面の簡単な説明】
【図１】  図１は、担持用のハンドルを有する、本願発明に係わる安全用のチャイルドシートの斜視図である。
【図２】  図２は、前記ハンドルが取り外された状態で、また、頭部支持体が最も高い位置にある状態の、前記シートの長手方向に伸長する中心線に沿って一部を破断した図１に示されたシートの側面図である。
【図３】  図３は、前記頭部支持体用の制御手段を示している、シート背もたれの断片図である。
【図４】  図４は、図２と同様な図であって、しかし、前記頭部支持体が最も低い位置にあるシートの側面図である。
【符号の説明】
１０  シート本体                    １２  ハンドル
１４  シート部                       １６  背もたれ部
１８  側壁部                         ２０  側壁部
２６  ショルダーストラップ          ２８  ショルダーストラップ
２９  バックル                        ３０  共通ストラップ
３２  頭部及び背上部支持体     ３４  背上部支持部
３６  頭部用中心支持部（中心部又は頭部支持部）
３８  サイドウィング（すなわち、側方頭もたれ）
４０  サイドウィング（すなわち、側方頭もたれ）
４２  突出部                          ４４  中心スロット
４６  ロックレバー（ラッチレバー）  ４８  枢動ピン
５０  カム形状体                     ５２  カム形状体
５４  くぼみ形状の凹部（くぼみ形状部、又は相補的な形状体）
５６  くぼみ形状の凹部（くぼみ形状部、又は相補的な形状体）
５８  スロット                        ６０  スロット
６２  中空ガイド部（スロット）      ６４  中空ガイド部（スロット）
６６  ガイドロッド（ガイド）         ６８  ガイドロッド（ガイド）
７０  可撓性のあるフラップ
７２  シート本体用の布製カバーの一部
７４  カム従動節                    ７６  湾曲面（カム面）
【図１】
0004339471.tif 000002
【図２】
0004339471.tif 000003
【図３】
0004339471.tif 000004
【図４】
0004339471.tif 000005